(57)【要約】【課題】無線機の装着感を向上すると共に、通話していることが第三者に容易に看取されないようにし得るワイヤレス通信システム及びその制御装置を提供する。【解決手段】プレストーク方式の無線機本体と、Ｂｌｕｅｔｏｏｔｈにより音声信号及び制御信号を送受信可能な無線機側送受信部２０と、無線機側送受信部２０と音声信号を送受信する音声信号送受信部３１と、無線機側送受信部２０に制御信号を送受信する制御ユニット４０と、制御ユニット４０から受信した制御信号に基づいて無線機本体１０の送信モード・受信モードを切替える制御装置５０とを備え、制御装置５０は、送信モードでは、音声信号送受信部３１から無線機側送受信部２０に音声信号を受信させ、該音声信号を他の無線機１００に対して無線機本体１０に送信させ、受信モードでは、無線機本体１０から音声信号送受信部３１に音声信号を無線機側送受信部２０に送信させる。【選択図】図４
2009239551.tif 000002
【特許請求の範囲】
【請求項１】
第１の無線通信方式により、送信モードにおいて他の無線機に音声信号を送信すると共に受信モードにおいて当該他の無線機から音声信号を受信する無線機本体と、
前記無線機本体に接続され、第２の無線通信方式により、前記音声信号及び前記無線機本体に送信モードと受信モードとを切り替えさせるための制御信号を送受信可能に構成された無線機側送受信部と、
前記第２の無線通信方式により前記無線機側送受信部と音声信号を送受信する音声信号送受信部、音声を取得して前記音声信号送受信部に音声信号として入力する音声入力手段、及び前記音声信号送受信部からの音声信号を音声として出力する音声出力手段から構成された音声入出力ユニットと、
前記第２の無線通信方式により前記制御信号を前記無線機側送受信部に送信する制御ユニットと、
前記制御ユニットから受信した制御信号が送信モードに切り替えさせるものであるときは前記無線機本体を送信モードに設定し、当該制御信号が受信モードに切り替えさせるものであるときは前記無線機本体を受信モードに設定する制御装置とを具備し、
前記制御装置は、送信モードにおいて、前記音声信号送受信部に入力された音声信号を前記無線機側送受信部に受信させると共に該音声信号を他の無線機に対して前記無線機本体に送信させる一方、受信モードにおいて、前記無線機本体が受信した音声信号を前記音声信号送受信部に対して前記無線機側送受信部に送信させる
ことを特徴とするワイヤレス通信システム。
【請求項２】
請求項１に記載するワイヤレス通信システムにおいて、
前記第２の無線通信方式は、前記音声信号が前記無線機側送受信部及び前記音声信号送受信部以外の機器に傍受されない方式である
ことを特徴とするワイヤレス通信システム。
【請求項３】
請求項１又は請求項２に記載するワイヤレス通信システムにおいて、
前記制御ユニットは、人体により隠蔽される大きさに形成されたスイッチ手段を備え、当該スイッチ手段がオフのとき前記無線機本体を受信モードにさせ、オンのとき前記無線機本体を送信モードにさせる制御信号を前記無線機側送受信部に送信する
ことを特徴とするワイヤレス通信システム。
【請求項４】
請求項１〜請求項３の何れか一項に記載するワイヤレス通信システムにおいて、
前記音声入出力ユニットは、人体に装着されると共に被服又は帽子により隠蔽される大きさに形成されている
ことを特徴とするワイヤレス通信システム。
【請求項５】
請求項１〜請求項４の何れか一項に記載するワイヤレス通信システムにおいて、
前記音声入出力ユニットは、人体の首部に装着可能な馬蹄状の固定具に、前記音声信号送受信部、前記音声入力手段、及び前記音声出力手段が固定されて構成されたものである
ことを特徴とするワイヤレス通信システム。
【請求項６】
請求項１〜請求項５の何れか一項に記載するワイヤレス通信システムにおいて、
前記音声入力手段は、骨伝導マイク又は咽喉マイクである
ことを特徴とするワイヤレス通信システム。
【請求項７】
請求項１〜請求項６の何れか一項に記載するワイヤレス通信システムにおいて、
前記音声出力手段は、前記音声信号送受信部と有線で接続されたイヤホン、電磁コイルを用いて前記音声信号送受信部と無線で接続されたワイヤレスイヤホン、及び前記音声信号送受信部と無線又は有線で接続された骨伝導スピーカからなる群から選択される一種である
ことを特徴とするワイヤレス通信システム。
【請求項８】
請求項１〜請求項７の何れか一項に記載するワイヤレス通信システムにおいて、
前記制御装置は、前記音声信号が前記音声信号送受信部から一定時間受信しないことを検知したとき前記無線機本体の機能を停止させ、その後、前記音声信号が前記音声信号送受信部から受信したとき前記無線機本体の機能を再開させる
ことを特徴とするワイヤレス通信システム。
【請求項９】
第１の無線通信方式により、送信モードにおいて他の無線機に音声信号を送信すると共に受信モードにおいて当該他の無線機から音声信号を受信する無線機本体と、
前記無線機本体に接続され、第２の無線通信方式により前記音声信号及び前記無線機本体に送信モードと受信モードとを切り替えさせるための制御信号を送受信可能に構成された無線機側送受信部と、
前記第２の無線通信方式により前記無線機側送受信部と音声信号を送受信する音声信号送受信部、音声を取得して前記音声信号送受信部に音声信号として入力する音声入力手段、及び前記音声信号送受信部からの音声信号を音声として出力する音声出力手段から構成された音声入出力ユニットと、
前記第２の無線通信方式により前記制御信号を前記無線機側送受信部に送信する制御ユニットとを具備するワイヤレス通信システムの制御装置であって、
前記制御ユニットから受信した制御信号が送信モードに切り替えさせるものであるときは前記無線機本体を送信モードに設定し、当該制御信号が受信モードに切り替えさせるものであるときは前記無線機本体を受信モードに設定するモード設定手段と、
送信モードにおいて、前記音声信号送受信部に入力された音声信号を前記無線機側送受信部に受信させると共に該音声信号を他の無線機に対して前記無線機本体に送信させる一方、受信モードにおいて、前記無線機本体が受信した音声信号を前記音声信号送受信部に対して前記無線機側送受信部に送信させる送受信制御手段とを具備する
ことを特徴とするワイヤレス通信システムの制御装置。
【請求項１０】
請求項９に記載するワイヤレス通信システムの制御装置において、
前記音声信号が前記音声信号送受信部から一定時間受信しないことを検知したとき前記無線機本体の機能を停止させ、その後、前記音声信号が前記音声信号送受信部から受信したとき前記無線機本体の機能を再開させる省電力手段を具備する
ことを特徴とするワイヤレス通信システムの制御装置。
【発明の詳細な説明】
【技術分野】
【０００１】
本発明は、ワイヤレス通信システム及びワイヤレス通信システムの制御装置に関し、特に、プレストーク方式の無線機を用いる場合に適用して有用なものである。
【背景技術】
【０００２】
従来、いわゆるプレストーク方式の無線機として、無線機本体と、スピーカ及びマイクと、無線機本体の送信・受信を切り替えるプレストークスイッチとを備え、ハンズフリーで通話が行えるように構成されたものが知られている。
【０００３】
例えば、スピーカ、マイク及びプレストークスイッチが一体的に形成されたものである外部ユニットを有線で無線機本体に接続したものや、マイクとプレストークスイッチが一体的に形成され、スピーカは別途イヤホンを接続するものがある。他にも、マイク及びスピーカが設けられたヘッドセットを有線で無線機本体に接続したものがある（例えば、特許文献１参照）。
【０００４】
このように、マイク等が無線機本体から分離されていることで、通話時に無線機本体を口元や耳元に近づける必要がなく、通話の利便性を向上させている。
【０００５】
しかしながら、マイク等と無線機本体とは有線で接続されていることから、移動しながら無線機を使用する際に、有線部分を家具等に引っ掛けてしまうことがある。また、有線部分が身体にまとわりつくという煩わしさがある。
【０００６】
さらに、無線機の利用目的によっては、無線機を用いて他者と通話していることが第三者に知られてしまうことを避けなければならない場合がある。このような場合、従来のような無線機を用いると次のような問題がある。
【０００７】
例えば、マイク及びスピーカがヘッドセット形式である場合は、マイク部分が口元の近くに常に位置することになるため、第三者から容易に、無線機で通話していることを知られてしまう。同様に、スピーカ、マイク及びプレストークスイッチ等が一体的に形成された外部ユニットでは、発話のたびに外部ユニットを口元に寄せるので、やはり第三者に通話していることを知られてしまう。また、プレストークスイッチを押す動作についても、プレストークスイッチを操作しながら音声を発していれば、無線機を使用して通話していることが第三者に容易に看取されてしまう。
【０００８】
また、第三者に通話を看取されないようにすべく、マスクで口元の動きを隠しながらマイクを使用する場合、マスク越しの音声であることから音声を明瞭に集音できなくなってしまうし、小声でマイクに発声する場合、周囲の音の大きさにより明瞭に集音できないという問題が生じる。
【０００９】
【特許文献１】特開平９−１７２６９７号公報
【発明の開示】
【発明が解決しようとする課題】
【００１０】
本発明は、上述した事情に鑑み、無線機の装着感を向上すると共に、通話していることが第三者に容易に看取されないようにし得るワイヤレス通信システム及びワイヤレス通信システムの制御装置を提供することを目的とする。
【課題を解決するための手段】
【００１１】
上記課題を解決する本発明の第１の態様は、第１の無線通信方式により、送信モードにおいて他の無線機に音声信号を送信すると共に受信モードにおいて当該他の無線機から音声信号を受信する無線機本体と、前記無線機本体に接続され、第２の無線通信方式により、前記音声信号及び前記無線機本体に送信モードと受信モードとを切り替えさせるための制御信号を送受信可能に構成された無線機側送受信部と、前記第２の無線通信方式により前記無線機側送受信部と音声信号を送受信する音声信号送受信部、音声を取得して前記音声信号送受信部に音声信号として入力する音声入力手段、及び前記音声信号送受信部からの音声信号を音声として出力する音声出力手段から構成された音声入出力ユニットと、前記第２の無線通信方式により前記制御信号を前記無線機側送受信部に送信する制御ユニットと、前記制御ユニットから受信した制御信号が送信モードに切り替えさせるものであるときは前記無線機本体を送信モードに設定し、当該制御信号が受信モードに切り替えさせるものであるときは前記無線機本体を受信モードに設定する制御装置とを具備し、前記制御装置は、送信モードにおいて、前記音声信号送受信部に入力された音声信号を前記無線機側送受信部に受信させると共に該音声信号を他の無線機に対して前記無線機本体に送信させる一方、受信モードにおいて、前記無線機本体が受信した音声信号を前記音声信号送受信部に対して前記無線機側送受信部に送信させることを特徴とするワイヤレス通信システムにある。
【００１２】
かかる第１の態様では、無線機本体と音声入出力ユニットとの間、及び無線機本体と制御ユニットとの間が、第２の無線通信方式で音声信号や制御信号が送受信されるため、ワイヤレス通信システムを装着したときにおいても有線が身体にまとわり付くような煩わしさがない。また、有線による制約がないことから、これらのユニットを身体の任意の部位に装着できる。
【００１３】
本発明の第２の態様は、第１の態様に記載するワイヤレス通信システムにおいて、前記第２の無線通信方式は、前記音声信号が前記無線機側送受信部及び前記音声信号送受信部以外の機器に傍受されない方式であることを特徴とするワイヤレス通信システムにある。
【００１４】
かかる第２の態様では、音声信号が無線機器側送受信部及び音声信号送受信部以外の機器に傍受されないため、通信内容を秘匿して安全に通信することができる。
【００１５】
本発明の第３の態様は、第１又は第２の態様に記載するワイヤレス通信システムにおいて、前記制御ユニットは、人体により隠蔽される大きさに形成されたスイッチ手段を備え、当該スイッチ手段がオフのとき前記無線機本体を受信モードにさせ、オンのとき前記無線機本体を送信モードにさせる制御信号を前記無線機側送受信部に送信することを特徴とするワイヤレス通信システムにある。
【００１６】
かかる第３の態様では、スイッチ手段の操作を秘匿できるため、本発明のワイヤレス通信システムの使用を第三者から容易に看取され難くなっている。
【００１７】
本発明の第４の態様は、第１〜第３の何れか一つの態様に記載するワイヤレス通信システムにおいて、前記音声入出力ユニットは、人体に装着されると共に被服又は帽子により隠蔽される大きさに形成されていることを特徴とするワイヤレス通信システムにある。
【００１８】
かかる第４の態様では、音声入出力ユニットと無線機本体との間、及び制御ユニット及び無線機本体との間は第２の無線通信方式を採用しているため、これらのユニットの装着位置の自由度が高い。これにより、音声入出力ユニットや制御ユニットを衣服や帽子などで外部から見えないように構成することができ、この結果、ワイヤレス通信システムを使用中であることを、第三者に容易に知られてしまうことを避けられる。
【００１９】
本発明の第５の態様は、第１〜第４の何れか一つの態様に記載するワイヤレス通信システムにおいて、前記音声入出力ユニットは、人体の首部に装着可能な馬蹄状の固定具に、前記音声信号送受信部、前記音声入力手段、及び前記音声出力手段が固定されて構成されたものであることを特徴とするワイヤレス通信システムにある。
【００２０】
かかる第５の態様では、音声信号送受信部、音声入力手段及び音声出力手段を首部近傍に固定することができ、衣服の襟部でこれらを隠すことができる。
【００２１】
本発明の第６の態様は、第１〜第５の何れか一つの態様に記載するワイヤレス通信システムにおいて、前記音声入力手段は、骨伝導マイク又は咽喉マイクであることを特徴とするワイヤレス通信システムにある。
【００２２】
かかる第６の態様では、使用者がマスク等を利用しながら本発明を使用した場合や、周辺環境の音が大きい場合でも、確実に音声を取得し、明瞭な音声信号を送信できる。
【００２３】
本発明の第７の態様は、第１〜第６の何れか一つの態様に記載するワイヤレス通信システムにおいて、前記音声出力手段は、前記音声信号送受信部と有線で接続されたイヤホン、電磁コイルを用いて前記音声信号送受信部と無線で接続されたワイヤレスイヤホン、及び前記音声信号送受信部と無線又は有線で接続された骨伝導スピーカからなる群から選択される一種であることを特徴とするワイヤレス通信システムにある。
【００２４】
かかる第７の態様では、使用目的、環境に応じて適切なイヤホンを用いることができる。
【００２５】
本発明の第８の態様は、第１〜第７の何れか一つの態様に記載するワイヤレス通信システムにおいて、前記制御装置は、前記音声信号が前記音声信号送受信部から一定時間受信しないことを検知したとき前記無線機本体の機能を停止させ、その後、前記音声信号が前記音声信号送受信部から受信したとき前記無線機本体の機能を再開させることを特徴とするワイヤレス通信システムにある。
【００２６】
かかる第８の態様では、無線機本体の電力を節約することができる。
【００２７】
本発明の第９の態様は、第１の無線通信方式により、送信モードにおいて他の無線機に音声信号を送信すると共に受信モードにおいて当該他の無線機から音声信号を受信する無線機本体と、前記無線機本体に接続され、第２の無線通信方式により前記音声信号及び前記無線機本体に送信モードと受信モードとを切り替えさせるための制御信号を送受信可能に構成された無線機側送受信部と、前記第２の無線通信方式により前記無線機側送受信部と音声信号を送受信する音声信号送受信部、音声を取得して前記音声信号送受信部に音声信号として入力する音声入力手段、及び前記音声信号送受信部からの音声信号を音声として出力する音声出力手段から構成された音声入出力ユニットと、前記第２の無線通信方式により前記制御信号を前記無線機側送受信部に送信する制御ユニットとを具備するワイヤレス通信システムの制御装置であって、前記制御ユニットから受信した制御信号が送信モードに切り替えさせるものであるときは前記無線機本体を送信モードに設定し、当該制御信号が受信モードに切り替えさせるものであるときは前記無線機本体を受信モードに設定するモード設定手段と、送信モードにおいて、前記音声信号送受信部に入力された音声信号を前記無線機側送受信部に受信させると共に該音声信号を他の無線機に対して前記無線機本体に送信させる一方、受信モードにおいて、前記無線機本体が受信した音声信号を前記音声信号送受信部に対して前記無線機側送受信部に送信させる送受信制御手段とを具備することを特徴とするワイヤレス通信システムの制御装置にある。
【００２８】
かかる第９の態様では、無線機本体と音声入出力ユニットとの間を無線により音声信号を授受できると共に、第２の無線通信方式により送受信される制御信号により送信モード・受信モードを切り替えることができる。
【００２９】
本発明の第１０の態様は、第９の態様に記載するワイヤレス通信システムの制御装置において、前記音声信号が前記音声信号送受信部から一定時間受信しないことを検知したとき前記無線機本体の機能を停止させ、その後、前記音声信号が前記音声信号送受信部から受信したとき前記無線機本体の機能を再開させる省電力手段を具備することを特徴とするワイヤレス通信システムの制御装置にある。
【００３０】
かかる第１０の態様では、無線機本体の電力を節約することができる。
【発明の効果】
【００３１】
無線機の装着感が向上し、通話していることが第三者に容易に看取されないワイヤレス通信システム及びワイヤレス通信システムの制御装置が提供される。
【発明を実施するための最良の形態】
【００３２】
以下、本発明を実施するための最良の形態について説明する。なお、本実施形態の説明は例示であり、本発明は以下の説明に限定されない。
【００３３】
図１は、本実施形態に係る無線機本体及び無線機側送受信部の概略構成図、図２は、本実施形態に係る音声入出力ユニットの概略構成図、図３は、本実施形態に係る制御ユニットの概略構成図、図４は、本実施形態に係るワイヤレス通信システムの概略構成図である。
【００３４】
これらの図に示すように、本実施形態に係るワイヤレス通信システムは、無線機本体１０と、無線機側送受信部２０と、音声入出力ユニット３０と、制御ユニット４０、制御装置５０とを具備する。
【００３５】
無線機本体１０は、第１の無線通信方式により、他の無線機１００との間で音声信号の送受信を行う。無線機本体１０は、いわゆるプレストーク方式であり、送信モードと受信モードとを排他的に切り替えて音声信号の送受信を行う。すなわち、無線機本体１０は、送信モードにおいては、専ら他の無線機１００に音声信号を送信し、受信モードにおいては、専ら他の無線機１００からの音声信号を受信するように構成されている。
【００３６】
なお、第１の無線通信方式は、特に限定されず、他の無線機１００との間で音声信号を送受信し得るものであればよい。例えば、所定周波数の電波をＡＭ、ＦＭなどのアナログ変調方式で変調して音声信号を送受信すればよい。
【００３７】
無線機側送受信部２０は、第２の無線通信方式により、後述する音声入出力ユニット３０の音声信号送受信部３１との間で音声信号を送受信し、制御ユニット４０との間で制御信号を送受信する。ここで、制御信号とは、無線機本体１０に送信モードと受信モードとを切り替えさせるための信号をいう。
【００３８】
第２の無線通信方式としては、無線機側送受信部２０及び音声信号送受信部３１以外の機器に音声信号が傍受されない方式のものを用いることが好ましい。例えば、ＢｌｕｅＴｏｏｔｈ、スペクトラム拡散方式を用いることができる。他にも、音声信号の内容が解読されないように、音声信号を暗号化して送受信する方式であってもよい。
【００３９】
本実施形態では、無線機側送受信部２０は、第２の無線通信方式として、ＢｌｕｅＴｏｏｔｈを用いた。無線機側送受信部２０は、音声信号送受信部３１及び制御ユニット４０と予めペアリングが実施されており、これらの間でしか通信が行えないようになっている。また、無線機側送受信部２０は、ＨＦＰ（Hands-Free Profile）を用いて音声信号送受信部３１との間で音声信号を送受信し、ＳＰＰ（Serial Port Profile）を用いて制御ユニット４０との間で制御信号を送受信するように構成されている。なおＨＦＰの代わりにＨＳＰ（Headset Profile）など音声信号を送受信しうるプロファイルであってもよい。
【００４０】
本実施形態では、無線機側送受信部２０と制御装置５０とは、筐体１２内に実装されている。一方、無線機本体１０には、外部マイク端子、外部スピーカ端子及び外部プレストークスイッチ端子（図示せず）が設けられており、これらの端子に接続されたコネクタ部１１を介して無線機側送受信部２０及び制御装置５０が無線機本体１０に接続されている。
【００４１】
後述するように、外部マイク端子を介して無線機側送受信部２０から無線機本体１０に音声信号が入力され、外部スピーカ端子を介して無線機本体１０から無線機側送受信部２０に音声信号が出力され、外部プレストークスイッチ端子を介して制御装置５０が無線機本体１０の送信モード・受信モードの切替を行えるようになっている。
【００４２】
なお、無線機側送受信部２０は、無線機本体１０から給電されてもよいし、筐体１２内に設けた電池により給電されてもよい。
【００４３】
音声入出力ユニット３０は、音声信号送受信部３１と、音声入力手段の一例である咽喉マイク３２と、音声出力手段の一例であるイヤホン３３とから構成されている。
【００４４】
音声信号送受信部３１は、音声入力手段から入力された音声信号を、第２の無線通信方式により無線機側送受信部２０に送信すると共に、無線機側送受信部２０から受信した音声信号を音声出力手段に出力する。本実施形態では、音声信号送受信部３１は、無線機側送受信部２０と同様にＢｌｕｅｔｏｏｔｈのＨＦＰで音声信号を送受信し得るように構成されている。
【００４５】
音声入力手段としては、音声を取得して音声信号に変換し、音声信号送受信部３１に入力しうるものであれば特に限定されない。例えば、音声信号送受信部３１と有線乃至無線で接続された骨伝導マイク又は咽喉マイクを挙げることができる。骨伝導マイクや咽喉マイクは、喉元の振動を捉えて音声を音声信号にするものであるため、小声でも確実に音声を捉えて明瞭な音声信号とすることができる。
【００４６】
音声出力手段としては、音声信号送受信部３１から音声信号を取得し、音声として出力しうるものであれば特に限定されない。音声信号送受信部３１で接続されたイヤホンや、電磁コイルを用いて音声信号送受信部３１と無線で接続されたワイヤレスホン、または、有線乃至無線で音声信号送受信部３１と接続された骨伝導スピーカを挙げることができる。
【００４７】
本実施形態では、音声入出力ユニット３０は、人体の首部に装着可能な馬蹄状の固定具３４の中央部に、音声信号送受信部３１が固定され、固定具３４の一端部に咽喉マイク３２が設けられ、音声信号送受信部３１から有線でイヤホン３３が接続されて構成されている。
【００４８】
この音声入出力ユニット３０を、首部に装着すると、音声信号送受信部３１は、首部と衣服の襟部との間に隠れ、咽喉マイク３２も喉元と襟部との間に隠れるようになる。これにより、音声信号送受信部３１や咽喉マイク３２が露出することで、本発明に係るワイヤレス通信システムを使用していることが第三者に容易に看取され難くなっている。
【００４９】
制御ユニット４０は、第２の無線通信方式により、無線機側送受信部２０との間で制御信号の送受信を行う。本実施形態では、制御ユニット４０に有線を介してスイッチ手段の一例であるプレストークスイッチ４２が接続されており、このプレストークスイッチ４２のオン・オフに応じて制御信号が送信される。すなわち、制御ユニット４０は、プレストークスイッチ４２が押されたとき、無線機本体１０を送信モードに切り替えさせる制御信号を無線機側送受信部２０に送信し、プレストークスイッチ４２の押し下げが解除されると、無線機本体１０を受信モードに切り替えさせる制御信号を無線機側送受信部２０に送信するよう構成されている。
【００５０】
また、制御ユニット４０には、人体の手首部に装着可能なリストバンド部４１が設けられており、またプレストークスイッチ４２にも指部に装着可能なリング部４３が設けられている。これにより、例えば、リストバンド部４１を手首部に装着すれば、衣服の袖部により制御ユニット４０が隠される。また、例えば人差し指にリング部４３を装着すれば親指の動作だけでプレストークスイッチ４２の押し下げ・解除が行える。このように制御ユニット４０自体を秘匿すると共に、そのプレストークスイッチ４２の操作も秘匿できるため、本発明のワイヤレス通信システムの使用を第三者から容易に看取され難くなっている。また、制御ユニット４０やプレストークスイッチ４２は、手首部や指部に装着される構成であるため、両手が塞がらないという利点もある。
【００５１】
なお、スイッチ手段としては、上記構成のようなプレストークスイッチ４２に限定されない。例えば、足で踏みつけることによりオン／オフを切り替えられるスイッチであってもよい。
【００５２】
制御装置５０は、制御ユニット４０から無線機側送受信部２０を介して受信した制御信号に基づいて、無線機本体１０の送信モード・受信モードの設定を行い、音声入出力ユニット３０と無線機本体との間の音声信号の授受の制御を行う。
【００５３】
図５及び図６は、本実施形態に係る制御装置による音声信号の送受信のフローを説明する図である。図５に示すように、無線機本体１０が初期状態として受信モードであるとき、無線機本体１０は第１の無線通信方式により他の無線機１００から音声信号を受信する（ステップＳ１）。次に、制御装置５０は、無線機側送受信部２０を制御して、無線機本体１０からの音声信号を音声信号送受信部３１に送信させる（ステップＳ２）。音声信号送受信部３１は、受信した音声信号をイヤホン３３で出力する（ステップＳ３）。
【００５４】
その後、本実施形態に係るワイヤレス通信システムの利用者がプレストークスイッチ４２を押して発話すると、次のように処理される。
【００５５】
制御ユニット４０は、プレストークスイッチ４２の押し下げにより、無線機本体１０を送信モードにする制御信号を無線機側送受信部２０に送信する（ステップＳ１０）。次に、制御装置５０は、無線機側送受信部２０を介して当該制御信号を受信し、無線機本体１０を送信モードに設定する（ステップＳ１１）。無線機本体１０は送信モードに設定されると、第１の無線通信方式により他の無線機１００に対して音声信号を送信可能となる。そして、音声信号送受信部３１は、咽喉マイク３２を介して音声信号が入力され、この音声信号を無線機側送受信部２０に送信する（ステップＳ１２）。次に、制御装置５０は、無線機側送受信部２０を制御して、音声信号を無線機本体１０に送信させ（ステップＳ１３）、無線機本体１０は、第１の無線通信方式により他の無線機１００に対して音声信号を送信する（ステップＳ１４）。
【００５６】
その後、プレストークスイッチ４２の押し下げが解除されると、次のように処理される。
【００５７】
図６に示すように、制御ユニット４０は、プレストークスイッチ４２の押し下げの解除により、無線機本体１０を受信モードにする制御信号を無線機側送受信部２０に送信する（ステップＳ２０）。次に、制御装置５０は、無線機側送受信部２０を介して当該制御信号を受信し、無線機本体１０を受信モードに設定する（ステップＳ２１）。無線機本体１０は受信モードに設定されると、第１の無線通信方式により音声信号を他の無線機１００から受信可能となる。以降、初期状態と同様に、無線機本体１０は第１の無線通信方式により他の無線機１００から音声信号を受信する（ステップＳ２２）。次に、制御装置５０は、無線機側送受信部２０を制御して、無線機本体１０からの音声信号を音声信号送受信部３１に送信させる（ステップＳ２３）。音声信号送受信部３１は、受信した音声信号をイヤホン３３で出力する（ステップＳ２４）。
【００５８】
以上の処理により、利用者がプレストークスイッチ４２を押していない状態（初期状態）のときは、他の無線機１００からの音声信号がイヤホン３３に出力される。利用者がプレストークスイッチ４２を押した状態では、咽喉マイク３２に入力された音声が無線機本体１０を介して他の無線機１００に送信される。そしてプレストークスイッチ４２の押し下げが解除されると、初期状態と同様に他の無線機１００からの音声信号がイヤホン３３に出力される。
【００５９】
なお、制御装置５０は、音声信号送受信部３１から一定時間、音声信号を受信しないことを検知したとき無線機本体１０の機能を停止させ、その後、音声信号が音声信号送受信部３１から受信したことを検知したとき無線機本体１０の機能を再開させる機能を有している。これにより、通話がないときにおける無駄な電力消費を抑えることができる。
【００６０】
以上に説明した本発明のワイヤレス通信システムでは、無線機本体１０と咽喉マイク３２やイヤホン３３等の音声入出力ユニット３０との間、及び無線機本体１０とプレストークスイッチ４２を有する制御ユニット４０との間が、第３者には傍受し得ない第２の無線通信方式で音声信号や制御信号が送受信されるため、ワイヤレス通信システムを装着したときにおいても有線が身体にまとわり付くような煩わしさがない。
【００６１】
また、音声入出力ユニット３０や制御ユニット４０は、無線機本体１０とは無線で接続されているので、これらのユニット３０、４０を身体の任意の部位に装着できる。このように装着位置の自由度が高いため、音声入出力ユニット３０や制御ユニット４０を衣服や帽子などで外部から見えないように構成することができ、この結果、ワイヤレス通信システムを使用中であることを、第三者に容易に知られてしまうことを避けられる。
【００６２】
更に、咽喉マイクなどを用いた場合、使用者の音声を、使用者の首元で取得するので、使用者がマスク等を利用しながら本発明を使用した場合や、周辺環境の音が大きい場合でも、確実に音声を取得し、明瞭な音声信号を送信できる利点がある。
【産業上の利用可能性】
【００６３】
マイクを口に当てる動作が不要となるので、警備、防衛活動等秘匿通信が必要な活動に利用できる。また、医療現場、消防活動、建設現場、各種工場などマスク等を着用しながら活動したり、騒音下で活動したりする場合に利用できる。
【図面の簡単な説明】
【００６４】
【図１】本実施形態に係る無線機本体及び無線機側送受信部の概略構成図である。
【図２】本実施形態に係る音声入出力ユニットの概略構成図である。
【図３】本実施形態に係る制御ユニットの概略構成図である。
【図４】本実施形態に係るワイヤレス通信システムの概略構成図である。
【図５】本実施形態に係る制御装置による音声信号の送受信のフローを説明する図である。
【図６】本実施形態に係る制御装置による音声信号の送受信のフローを説明する図である。
【符号の説明】
【００６５】
１０    無線機本体
１１    コネクタ部
１２    筐体
２０    無線機側送受信部
３０    音声入出力ユニット
３１    音声信号送受信部
３２    咽喉マイク
３３    イヤホン
３４    固定具
４０    制御ユニット
４１    リストバンド部
４２    プレストークスイッチ
４３    リング部
５０    制御装置
１００  他の無線機
【図１】
2009239551.tif 000003
【図２】
2009239551.tif 000004
【図３】
2009239551.tif 000005
【図４】
2009239551.tif 000006
【図５】
2009239551.tif 000007
【図６】
2009239551.tif 000008